(57)【要約】【課題】ユーザの費用負担を軽減しつつ、不審者の家屋等への侵入を効果的に防止する。【解決手段】可聴音としての生活音に、連続的又は間欠的に超音波を合成した防犯音データ１１を、ネットワークを介して、家屋３に設置されたＰＣ４に配信する防犯用サーバ２。生活音は、ユーザの年齢又は使用時間帯を考慮して複数パターンを生成することができ、また、防犯用サーバ２は、防犯音データの配信を希望するユーザの年齢又は使用時間帯に応じて、複数パターンの生活音の中から配信希望のユーザに適したものを選択し、防犯音データ１１を配信することができる。【選択図】図１
2011154509.tif 000002
【特許請求の範囲】
【請求項１】
可聴音としての生活音に、連続的又は間欠的に超音波を合成した防犯音データを、ネットワークを介して、防犯対象空間に設置された端末装置に配信することを特徴とする防犯用サーバ。
【請求項２】
前記生活音は、ユーザの年齢又は使用時間帯を考慮して複数の音声パターンが生成されることを特徴とする防犯用サーバ。
【請求項３】
前記防犯音データの配信を希望するユーザの年齢又は使用時間帯に応じて、前記複数の音声パターンの中から該防犯音データの配信を希望するユーザに適した生活音を選択し、前記防犯音データを配信することを特徴とする請求項２に記載の防犯用サーバ。
【請求項４】
前記防犯音データをストリーミング形式又はプログレッシブダウンロード形式で配信することを特徴とする請求項１、２又は３に記載の防犯用サーバ。
【請求項５】
防犯対象空間に設置された端末装置をネットワークを介して防犯用サーバと接続し、可聴音としての生活音に、連続的又は間欠的に超音波を合成した防犯音データを、前記防犯用サーバから前記端末装置に配信することを特徴とする防犯システム。
【請求項６】
防犯対象空間に設置された端末装置をネットワークを介して防犯用サーバと接続し、可聴音としての生活音に、連続的又は間欠的に超音波を合成した防犯音データを、前記防犯用サーバから前記端末装置に配信することを特徴とする防犯方法。
【発明の詳細な説明】
【技術分野】
【０００１】
本発明は、一般住宅や事務所等の家屋等において不審者等の侵入を防止するための技術に関する。
【背景技術】
【０００２】
従来、家屋等へ不審者が侵入するのを防止するため、種々の防犯システムが提案されている。例えば、特許文献１及び２には、家屋等への不審者の接近を検知して音声等を出力するシステムが開示されている。
【０００３】
また、特許文献３には、日常の生活音、放送番組の受信情報を含む各種情報源からの音声・映像情報が記録された情報記録媒体の情報を再生する再生手段と、この再生手段からの再生情報を受けて音声・映像を表示する宅内ＡＶ機器と、乱数を生成して乱数情報を出力する乱数発生手段と、再生指令を受けたとき、前記乱数発生手段の乱数情報に基づいて再生手段を制御し、情報記録媒体の記録情報をランダムに再生させる制御手段とからなる簡単な構成により、住人の不在時に不審者の侵入を防止する防犯機能を備えたＡＶ装置が開示されている。
【先行技術文献】
【特許文献】
【０００４】
【特許文献１】特開２００９−１１０２３７号公報
【特許文献２】特開平１１−２０３５７９号公報
【特許文献３】特開２００７−２６５０２１号公報
【発明の概要】
【発明が解決しようとする課題】
【０００５】
しかし、上記特許文献１及び２に記載の防犯システムでは、不審者の接近に応じて音声等を出力するため、少なくとも、不審者の接近を検知するセンサと、センサの検知出力に応答して音声等の出力制御を行う制御ユニットとを家屋に設置する必要がある。また、特許文献３に記載の防犯機能を備えたＡＶ装置では、音声等をランダムで出力するため、乱数を生成して乱数情報を出力する乱数発生手段と、乱数情報に基づいて音声等を選択する選択手段とを備えた制御ユニットが必要となる。
【０００６】
このように、特許文献１〜３に記載されたシステムのいずれにおいても、専用装置の設置が不可欠となり、これらの導入費用は、原則として、防犯システムを利用するユーザの負担となる。このため、ユーザに多額の費用負担を強いることになり、システム普及を妨げる要因の１つになっている。
【０００７】
そこで、本発明は、上記従来の技術における問題点に鑑みてなされたものであって、ユーザの費用負担を軽減しつつ、不審者の家屋等への侵入を効果的に防止することを目的とする。
【課題を解決するための手段】
【０００８】
上記目的課題を解決するため、本発明は、防犯用サーバであって、可聴音としての生活音に、連続的又は間欠的に超音波を合成した防犯音データを、ネットワークを介して、防犯対象空間に設置された端末装置に配信することを特徴とする。ここで、可聴音とは、人間の耳に聞こえる音であって、２０〜２万Ｈｚの周波数を有する音波をいう。また、生活音とは、エアコン等の家庭用設備や掃除機等の家庭用機器を使用している際に生じる騒音、及び居住者等の話し声等、居住者の生活に伴って発生する音をいう。さらに、超音波とは、人間の耳には聞こえない高い周波数を有する音波をいう。
【０００９】
そして、本発明によれば、ユーザは、低額の利用料を支払うのみで防犯音を取得することができるため、ユーザの費用負担を軽減することが可能になる。また、可聴音としての生活音に超音波を合成して用いるため、可聴音のみの場合と比較して、不審者に対して、ユーザが恰も家屋内で生活しているように装う効果が大きく、防犯効果を高めることが可能になる。
【００１０】
前記防犯用サーバにおいて、前記生活音は、ユーザの年齢又は使用時間帯を考慮して複数の音声パターンが生成されるように構成することができる。これにより、ユーザの実際の生活により近い形で生活音を再現することができ、防犯効果をさらに高めることが可能になる。
【００１１】
前記防犯用サーバにおいて、前記防犯音データの配信を希望するユーザの年齢又は使用時間帯に応じて、前記複数の音声パターンの中から該防犯音データの配信を希望するユーザに適した生活音を選択し、前記防犯音データを配信することができる。これによれば、実生活に近い状態の生活音を含む防犯音を自動選択して配信することができ、防犯音の選択に伴う煩わしさを解消することが可能になる。
【００１２】
前記防犯用サーバにおいて、前記防犯音データをストリーミング形式又はプログレッシブダウンロード形式で配信することができる。
【００１３】
また、本発明は、防犯システムであって、防犯対象空間に設置された端末装置をネットワークを介して防犯用サーバと接続し、可聴音としての生活音に、連続的又は間欠的に超音波を合成した防犯音データを、前記防犯用サーバから前記端末装置に配信することを特徴とする。本発明によれば、前記発明と同様に、ユーザの費用負担を軽減しつつ、不審者の家屋等への侵入を効果的に防止することが可能になる。
【００１４】
さらに、本発明は、防犯方法であって、防犯対象空間に設置された端末装置をネットワークを介して防犯用サーバと接続し、可聴音としての生活音に、連続的又は間欠的に超音波を合成した防犯音データを、前記防犯用サーバから前記端末装置に配信することを特徴とする。本発明によれば、前記発明と同様に、ユーザの費用負担を軽減しつつ、不審者の家屋等への侵入を効果的に防止することが可能になる。
【発明の効果】
【００１５】
以上のように、本発明によれば、ユーザの費用負担を軽減しつつ、不審者の家屋等への侵入を効果的に防止することができる。
【図面の簡単な説明】
【００１６】
【図１】本発明にかかる防犯用サーバを備えた防犯システムの一実施の形態を示す図である。
【発明を実施するための形態】
【００１７】
次に、本発明の実施の形態について、図面を参照しながら詳細に説明する。
【００１８】
図１は、本発明にかかる防犯用サーバを備えた防犯システムであり、この防犯システム１は、防犯用の音声データを配信する防犯用サーバ２と、防犯対象空間としての家屋３に配置され、インターネット５を介して防犯用サーバ２と接続されるＰＣ４とで構成される。
【００１９】
防犯用サーバ２は、防犯用の音声データをストリーミング配信するためのストリーミングサーバであり、防犯音データ１１やユーザデータ１２が記憶された記憶部１３と、インターネット５を介してＰＣ４と通信するための通信部１４と、音声データの配信処理を制御する制御部１５等を備える。
【００２０】
記憶部１３の防犯音データ１１は、可聴音としての生活音に、連続的又は間欠的に超音波を合成して生成されたものである。ここで、生活音とは、居住者の生活に伴って発生する音であって、種々の音が含まれる。本実施の形態においては、生活音として、防犯時の状況に応じた複数の音声パターンを生成し、それらは、例えば、以下のように構成される。
【００２１】
表１及び表２に示すように、生活音は、食器を洗う音等の比較的大きな基本音と、話し声等の基本音より小さい素材音とで構成され、録音される基本音及び素材音は、ユーザの年齢及び使用時間帯を考慮して選択される。尚、両表において、含まれる素材音には○を、含まれない素材音には×を各々付している。
【００２２】
【表１】
2011154509.tif 000003
【００２３】
【表２】
2011154509.tif 000004
【００２４】
表１は、ユーザの年齢が、およそ３０歳代から５０歳代の、いわゆるミドル世代に好適な防犯音データ１１の構成を示す。同表の上段には、音声パターン１として、昼間の時間帯に好適な構成を、下段には、音声パターン２として、夜間の時間帯に好適な構成を各々示す。
【００２５】
昼間の時間帯においては、家屋内の清掃等をしている場合が多いため、食器を洗う音、掃除機を使用する音及び食器を片づける音を、この順に録音して基本音とし、これらの基本音との組み合わせとして適する素材音を選択して録音している。また、夜間の時間帯においては、食事をしている場合が多いため、調理する音、食事音及び食器を洗う音を、この順に録音して基本音とし、これらの基本音との組み合わせとして適する素材音を選択して音声データを構成している。
【００２６】
このように、時間帯を考慮して基本音及び素材音を選択することにより、実生活に近い形で生活音を再現することができ、ユーザが家屋内で生活しているように、より効果的に装うことができる。
【００２７】
表２は、ユーザの年齢が、およそ６０歳代以上の、いわゆるシニア世代に好適な防犯音データ１１の構成を示す。上記ミドル世代の場合と同様に、上段には、音声パターン３として、昼間の時間帯に好適な構成を、下段には、音声パターン４として、夜間の時間帯に好適な構成を各々示す。
【００２８】
録音する基本音については、上記ミドル世代の場合と同様であるが、素材音については、ミドル世代の場合とは異なり、シニア世代を考慮した音を録音している。例えば、着信音に代えて爪を切る音を、また、ドアの開閉音に変えて引き戸の開閉音を、さらには、くしゃみの音に変えてタンスの開閉音とすることにより、ユーザの実際の生活により近い形で生活音を再現することができ、より効果的にユーザが家屋内で生活しているように装うことができる。
【００２９】
尚、上記表１及び表２に示す咳払い、会話音声、くしゃみの音及びゲップの音については、ユーザの性別に対応する音声とすることができる。これにより、ユーザの実際の生活により近い形で生活音を再現することができる。また、特にシニア世代においては、男性と女性の両方の音声を録音してもよい。
【００３０】
また、生活音に声を含ませる場合には、ユーザの家族構成を考慮して複数人の声を含ませたり、或いは、一人暮らしをしているか否かなどの生活環境を考慮し、例えば、女性の一人暮らしの場合であれば、男性の声を含ませるなどの加工を施すことが好ましい。さらに、住居以外の事務所で利用できるように、事務所特有の音としたり、閉店後の飲食店を対象としたものとすることもできる。
【００３１】
上記の生活音は、録音したものであることを容易に悟られるのを避けるため、単調な音声とするのではなく、時間経過に応じて変化するような構成とすることが好ましい。
【００３２】
一方、生活音に合成する超音波は、周波数が２２０００Ｈｚ程度で、５６ｄＢ程度の大きさを有するものとする。この超音波を、上記生活音に連続的又は間欠的に合成することで、より効果的に、ユーザが家屋内で生活しているように装うことができる。尚、実際に、周波数が約２２０００Ｈｚ、大きさが約５６ｄＢの超音波を家屋３の屋内から発し、屋外で７人の者に屋内で人の気配を感じるかどうかを試したところ、６人が人の気配を感じるとの試験結果が得られている。
【００３３】
防犯音データ１１を作成するにあたっては、先ず、性別、年齢、時間帯、家族構成、生活環境等の各種条件を考慮して、デジタル録音装置（例えば、ＺＯＯＭ社製のＨＡＮＤＹ  ＲＥＣＯＲＤＥＲ  Ｈ２）で演者にディレクションを行いながら基本音、素材音を収録する。その後、納めたデジタル音声をｉＭａｃ（登録商標）２４ｉｎｃ  ２．８ＧＨｚ，３．０６ＧＨｚ、Ｍａｃ  Ｂｏｏｋ  Ｐｒｏ（登録商標）  ２．５３ＧＨｚを用い、Ａｐｐｌｅ社製のＬｏｇｉｃ  ｓｔｕｄｉｏ  ９で基本音及び素材音の強弱、こもり具合等を加工する。最後に、Ａｂｌｅｔｏｎ社製のＬｉｖｅ  ８で基本音と素材音を調整編集するとともに、Ａｐｐｌｅ社製のＳｏｕｎｄ  Ｔｒａｃｋ  Ｐｒｏで高周波を挿入し、同ソフトウェアでミックスダウンを行う。
【００３４】
また、記憶部１３に記憶されるユーザデータ１２は、防犯音データ１１を利用するユーザの情報であり、ユーザＩＤ等のユーザ識別子と対応付けて、上述の年齢、性別、家族構成、生活環境等の情報が記憶される。
【００３５】
ＰＣ４は、防犯用サーバ２に記憶された防犯音の使用を希望するユーザが利用する端末装置であり、インターネット５を介して防犯用サーバ２と通信可能に構成された汎用コンピュータである。ＰＣ４には、防犯用サーバ２から取得した音声データを再生するための再生用アプリケーションソフトがインストールされるとともに、スピーカ等の音声出力装置（不図示）が接続される。尚、上記の再生用アプリケーションソフトは、市販の個人用ＰＣに標準装備される汎用的なソフトウェアを利用することができる。
【００３６】
次に、上記構成を有する防犯システム１の動作について、図１を参照しながら説明する。
【００３７】
防犯システム１を利用するにあたっては、先ず、ユーザが、ＰＣ４を介してインターネット５上に公開された運用サイト（防犯音を提供する事業者が運用するサイト）にアクセスし、所定の事項を入力して登録手続を行う。このとき、上述の年齢、性別、家族構成、生活環境等の情報を入力し、これらは、防犯用サーバ２の記憶部１３にユーザデータ１２として記憶される。
【００３８】
そして、防犯音の利用を希望する場合（例えば、外出して留守にする場合）には、ユーザがＰＣ４を介してインターネット５上の運用サイトにアクセスし、ユーザＩＤやパスワード等を入力してログインする。次いで、ホームページ上に設けられたボタンやリンクをクリックし、防犯音の配信を要求する。
【００３９】
これを受けて、防犯用サーバ２では、入力されたユーザＩＤ等に基づいて、ログインしたユーザを特定し、記憶部１３のユーザデータ１２の中から、ログインユーザの年齢等の情報を読み出す。次いで、その時点での時刻を取得し、記憶部１３に記憶された防犯音データ１１の中から、取得した時刻と読み出したユーザデータとの双方に適合する音声を選択する。次に、通信部１４を介して、選択した防犯音データ１１を出力し、ユーザのＰＣ４にストリーミング配信する。
【００４０】
尚、防犯音データ１１の選択時に用いる時刻は、ログイン時の時刻ではなく、配信時の時刻とし、防犯用サーバ２から配信する防犯音は、時間経過に応じて刻々と変化させるようにすることが好ましい。例えば、あるユーザに対して長時間に亘って連続配信する場合に、配信開始が昼間であれば、当初、昼間に適した防犯音を配信し、その後、時間が経過して夕方や夜になれば、防犯音を夕方や夜に適したものに変更して配信する。
【００４１】
防犯用サーバ２から防犯音データ１１が配信されると、ＰＣ４では、配信された防犯音データ１１を受信しつつ、再生用アプリケーションソフトによって再生する。そして、ＰＣ４に接続された音声出力装置を通じて防犯音を出力し、不審者の接近を防止する。
【００４２】
以上のように、本実施の形態によれば、防犯音データ１１を防犯用サーバ２からネットワーク配信するようにしたため、ユーザは、登録手続さえ済ませれば、適宜に防犯音を取得して防犯対策を採ることが可能になる。この際、ユーザに多額の出費を強いることはなく、ユーザは、低額の利用料を支払うのみで防犯音を取得することができるため、ユーザの費用負担を軽減することが可能になる。
【００４３】
また、可聴音としての生活音に超音波を合成して用いるため、家屋３に誰もいない場合であっても、接近した不審者が人の気配を感じるようになり、家屋３に人がいると錯覚し易くなる。このため、可聴音のみの場合と比較して、不審者に対して、ユーザが恰も家屋内で生活しているように装う効果が大きく、防犯効果を高めることが可能になる。
【００４４】
さらに、本実施の形態によれば、年齢、性別、家族構成、生活環境等の各種条件に応じて複数パターンの防犯音を生成するため、システムを利用する個々のユーザに適した防犯音を提供することが可能になる。
【００４５】
以上、本発明の実施の形態を説明したが、本発明は、それらの構成に限定されるものではなく、特許請求の範囲に記載された発明の範囲内で種々の変更が可能である。
【００４６】
例えば、上記実施の形態においては、防犯音データ１１としてストリーミングファイルを採用したが、ダウンロードを行いながら再生可能な形式の音声データであれば、他のファイル形式の音声データであってもよく、例えば、プログレッシブダウンロード形式で配信可能な音声データを用いることができる。
【００４７】
また、上記実施の形態においては、ユーザの年齢、性別、家族構成、生活環境及び使用時間帯の全てを考慮して防犯音データ１１のパターンを決定するが、必ずしも全ての情報がユーザから提供されるとは限らないため、ユーザの年齢又は使用時間帯に応じて防犯音データ１１のパターンを決定するようにしてもよい。このことは、配信する防犯音データ１１の選択についても同様であり、ユーザの年齢又は使用時間帯に応じて選択するようにしてもよい。
【００４８】
さらに、上記実施の形態においては、ユーザの年齢、性別、家族構成、生活環境等の情報をユーザデータ１２として防犯用サーバ２に記憶し、これらの情報に基づいて防犯音データ１１を自動選択するように構成したが、詳細な個人情報を入力することに嫌悪感を抱くユーザもいるため、上記の情報の入力を不要とし、また、防犯用サーバ２の記憶部１３にも、それらの情報を記憶しないように構成することができる。
【００４９】
その場合、防犯用サーバ２から配信する防犯音データ１１の選択は、ユーザ自らが行う必要が生じるため、どのようなパターンの防犯音データ１１が準備されているかを運用サイトのホームページ上に表示し、それらの中から希望するものをユーザが選択できるように構成することが好ましい。
【００５０】
また、上記実施の形態においては、防犯音データ１１及びユーザデータ１２を防犯用サーバ２に格納するが、これらは、防犯用サーバ２とは別に設けたＷｅｂサーバやデータベースサーバ（不図示）に格納するようにしてもよい。
【００５１】
さらに、上記実施の形態においては、ユーザ側の端末装置としてＰＣ４を例示したが、インターネット接続機能を備えたものであれば、ＰＣ以外の端末を用いることもできる。
【符号の説明】
【００５２】
１  防犯システム
２  防犯用サーバ
３  家屋
４  ＰＣ
５  インターネット
１１  防犯音データ
１２  ユーザデータ
１３  記憶部
１４  通信部
１５  制御部
【図１】
2011154509.tif 000005